(57)【要約】【課題】輸送時や陳列時にはプルタブが缶蓋に密着した状態であって、邪魔にならず、かつ開口時にはプルタブの引上げ部に容易に指がかかり、開けやすく、指先や爪を傷める恐れのないプルタブ式缶蓋を提供すること。【解決手段】缶蓋１を上側に向けてドーム型に盛り上がった形状とし、且つ前記缶蓋１のプルタブ２との固着部分Ａの周囲には円周状に折り曲げ線２を設けることでその内側部分を押圧した際に凹んで凹んだ状態を保持する凹み部３を設けた。開口する時にこの凹み部３を凹ませると、プルタブ２の固着部分Ａが下降してプルタブ２の引上げ部２ａが持ち上がることで、プルタブ２の引上げ部２ａと缶蓋１上面との間に指挿入用の隙間４を形成することができる。【選択図】　　　図４
2004091015.tif 000002
【特許請求の範囲】
【請求項１】
切り込み線を周囲に形成してなる蓋片を有する缶蓋と、一端に設けた押圧部が前記蓋片の真上に配置されるように前記缶蓋の上面に固着され、他端に設けた引上げ部を引き上げることにより固着部分を支点として前記押圧部で缶蓋の蓋片を押圧して蓋片を缶蓋から押し下げて開口を形成するプルタブとを具備するプルタブ式缶蓋において、
前記缶蓋を上側に向けてドーム型に盛り上がった形状とし、且つ前記缶蓋のプルタブとの固着部分の周囲には円周状に折り曲げ線を設けることでその内側部分を押圧した際に凹んで凹んだ状態を保持する凹み部を設け、
凹み部を凹ませた際にプルタブの固着部分が下降してプルタブの前記引上げ部が持ち上がることで、プルタブの引上げ部と缶蓋上面との間に指挿入用の隙間を形成することを特徴とするプルタブ式缶蓋。
【発明の詳細な説明】
【０００１】
【発明の属する技術分野】
本発明はプルタブ式缶蓋に関し、特にプルタブの引き起こしが容易に行える構造のプルタブ式缶蓋に関する。
【０００２】
【従来の技術】
ビールや清涼飲料水の缶の飲み口や缶詰の内容物を取り出すための開口を形成する方法として、従来より図１に示すようなプルタブ式缶蓋が広く採用されている（例えば特許文献１、図４参照）。図１は従来のプルタブ式缶蓋を示す図であり、図１（ａ）は従来のプルタブ式缶蓋を示す平面図、図１（ｂ）は図１（ａ）のＸ−Ｘ断面図、図１（ｃ）は開口した状態の断面図である。この従来例において、缶蓋１００には清涼飲料水などの飲み口となる開口部１１０が設けられている。この開口部１１０は切り込み線１１１を周囲に形成してなる蓋片１１２を設けて構成されており、蓋片１１２の上面を押圧することで、蓋片１１２が押し下げられ切り込み線１１１に沿って蓋片１１２が缶蓋１００から破断され開口を形成するように作られている。
【０００３】
缶蓋１００の上面には、リベットなどの固着具１２１によりプルタブ１２０が缶蓋１００の上面に密着した状態で固着されている。プルタブ１２０は、その一端である押圧部１２０ｂが蓋片１１２の真上に位置するように固着されている。
【０００４】
ここで、缶を開口するには、図１（ｂ）に示すように、プルタブ１２０の端部である引上げ部１２０ａに指をかけ上方に引き起こす。これにより、プルタブ１２０は図１（ｃ）に示すように固着具１２１により缶蓋１００に固着された位置Ａを支点として押圧部１２０ｂが押し下げられ、この押圧部１２０ｂは蓋片１１２の上面を押圧するので、蓋片１１２が切り込み線１１１に沿って缶蓋１００から破断され、缶が開口する。
【０００５】
しかしながら、上記従来のプルタブ式缶蓋の構造においては、以下のような問題点があった。すなわち、開口時に引上げ部１２０ａに指をかけて引き起こす場合において、図１（ｂ）に示すようにプルタブ１２０が缶蓋１００と密着して取り付けられているため、プルタブ１２０の引上げ部１２０ａと缶蓋１００の上面との間に指が入るほど十分な隙間がなく、引上げ部１２０ａに指がかかりにくい。そのため、力の弱い老人や子供にとって缶を開口することが困難であるという問題点があった。また、引上げ部１２０ａに指がかかるとしても、引上げ部１２０ａに指先または爪がわずかにかかるだけであったため、その状態で大きな力を加えてプルタブ１２０を引き起こすと指や爪を傷める可能性が高いという問題点もあった。
【０００６】
従来これらの問題点への対応策として、図１（ｂ）に示すように、缶蓋１００のプルタブ引上げ部１２０ａに対向する部分に凹み１０１を設けることが行われている。これによれば、プルタブ１２０が缶蓋１００に密着する状態で固着されていても、引上げ部１２０ａと缶蓋１００上面との間に隙間１４０ができるため、プルタブ１２０を引き上げることが幾分かは容易となる。
【０００７】
しかし、上記の凹み１０１のみではプルタブ１２０を引き上げる際に指を入れるのに十分な大きさに隙間１４０を形成するのは難しい。
【０００８】
また、上記問題点を解決する手段として従来図２に示すような構造のプルタブ式缶蓋も知られている（例えば特許文献１、図１参照）。すなわち、プルタブ１２０をその引上げ部１２０ａよりも押圧部１２０ｂ側に位置する場所１２０ｄを境として引上げ部１２０ａ側を上方に折り曲げた構造とすることにより、引上げ部１２０ａと缶蓋１００の上面との間に指が入るような隙間１４０を作り、これによりプルタブ１２０を引き起こす際に指が容易にかかるようにしたものである。
【０００９】
しかしながら、このような構造の缶蓋においても以下に示すような問題点があった。すなわち、プルタブ１２０の引上げ部１２０ａと缶蓋１００の上面との間に指が入るために十分な隙間１４０を設けるために必要なだけ引上げ部１２０ａを上方に折り曲げてしまうと、図２に示すように缶蓋１００の周縁部１００ａよりもプルタブ１２０の引上げ部１２０ａが上方に出てしまうため、缶の輸送時や陳列時に他の缶などにプルタブ１２０の引上げ部１２０ａが接触する危険があり、また缶を持ち運ぶ場合などにおいてもプルタブ１２０の引上げ部１２０ａに指などがひっかかる場合があり、取扱いに不便であるという問題があった。
【００１０】
【特許文献１】
特開２００１−１３０５６０号公報
【００１１】
【発明が解決しようとする課題】
本発明は上述の点に鑑みてなされたものでありその目的は、輸送時や陳列時にはプルタブが缶蓋に密着した状態であって、邪魔にならず、かつ開口時にはプルタブの引上げ部に容易に指がかかり、開けやすく、指先や爪を傷める恐れのないプルタブ式缶蓋を提供することにある。
【００１２】
【課題を解決するための手段】
上記課題を解決するため請求項１に記載の発明は、切り込み線を周囲に形成してなる蓋片を有する缶蓋と、一端に設けた押圧部が前記蓋片の真上に配置されるように前記缶蓋の上面に固着され、他端に設けた引上げ部を引き上げることにより固着部分を支点として前記押圧部で缶蓋の蓋片を押圧して蓋片を缶蓋から押し下げて開口を形成するプルタブとを具備するプルタブ式缶蓋において、
前記缶蓋を上側に向けてドーム型に盛り上がった形状とし、且つ前記缶蓋のプルタブとの固着部分の周囲には円周状に折り曲げ線を設けることでその内側部分を押圧した際に凹んで凹んだ状態を保持する凹み部を設け、
凹み部を凹ませた際にプルタブの固着部分が下降してプルタブの前記引上げ部が持ち上がることで、プルタブの引上げ部と缶蓋上面との間に指挿入用の隙間を形成することを特徴とする。
【００１３】
上記のように構成すれば、缶蓋を開口する際に凹み部を凹ませるだけで容易にプルタブ固着部分を下降させプルタブ引上げ部を持ち上げることができるので、缶蓋上面との間に指挿入用の隙間を形成することができ、開口しやすく、指先や爪を傷める恐れのないプルタブ式缶蓋を提供することが可能となる。
【００１４】
【発明の実施の形態】
以下、本発明の実施の形態例を図面に基づいて説明する。図３は本発明にかかるプルタブ式缶蓋の実施形態例を示す図であり、図３（ａ）は本発明にかかるプルタブ式缶蓋を示す平面図、図３（ｂ）は図３（ａ）のＹ−Ｙ断面図である。ここで、１はアルミやスチールで作られた缶蓋であり、缶蓋１には清涼飲料水などの飲み口となる開口部１０が設けられている。この開口部１０はその外周に沿ってあらかじめ缶蓋１に切り込み線１１を設けることで、切り込み線１１の内側部分に蓋片１２を形成して構成され、この蓋片１２の上面を押圧することで、蓋片１２が押し下げられ切り込み線１１に沿って蓋片１２が缶蓋１から破断され開口を形成するように作られている。
【００１５】
そして、缶蓋１の上面にはプルタブ２０が缶蓋１上面にほぼ密着するような状態で固着されている。プルタブ２０は缶蓋１と同一の材料でかつ一枚板で作られており、その内部に設けた開口２０ｃ内に押圧部２０ｂ側から引上げ部２０ａ側に向け突出するように舌片２２が形成されている。プルタブ２０は舌片２２と缶蓋１を貫通してかしめられるリベット等の固着具２１により、缶蓋１に固着されている。このとき、プルタブ２０は、その押圧部２０ｂが蓋片１２の真上（蓋片１２の根元近傍上）に位置するように固着されている。
【００１６】
そして本発明において、缶蓋１全体を上側に向かってドーム型に盛り上がった形状に形成している。
【００１７】
さらに、缶蓋１のプルタブ２０との固着部分（固着具２１の部分Ａ）の周囲に円周状に折り曲げ線２を形成している。この折り曲げ線２は缶蓋１の他の部分に比べてその厚みを少し薄くする等して、その内側部分を上から押圧すると缶蓋１の折り曲げ線２の内側部分がその折り曲げ線２に沿って下向きに凹み、凹んだ状態が保持されるように形成されている。また、折り曲げ線２は引上げ部２０ａが折り曲げ線２の外側にくるような大きさに形成されている。
【００１８】
このプルタブ式缶蓋は開口する前の状態においては、図３（ｂ）に示すようにプルタブ２０と缶蓋１とがほぼ密着して固定されている。したがって、引上げ部２０ａが持ち上がった状態となっておらず、横から見て引上げ部２０ａが缶蓋周縁部１ａよりも低い位置に収まっているため、缶の輸送時や陳列時にプルタブが邪魔にならない。また、この状態ではプルタブ２０の引上げ部２０ａと缶蓋１の間には指を入れるほどの隙間はない。
【００１９】
次に本実施形態にかかるプルタブ式缶蓋を開口する手順について図４を用いて説明する。まず、プルタブ２０が缶蓋１に固着具２１によって固着されている部分Ａ（本実施形態では、缶蓋１の中央部分でかつ折り曲げ線２の中央部分）を図４（ａ）に示すように指で真上から真下に向けて押圧すると、缶蓋１はあらかじめ設けられた折り曲げ線２に沿ってその内側が下側に向かって凹み、図４（ｂ）に示すように缶蓋１に凹み部３が形成される。指を離した後も凹み部３が形成されたまま缶蓋１はその状態を保持する。これによりプルタブ２０と缶蓋１を固着している固着具２１も缶蓋１とともにその位置が低くなる。すると、プルタブ２０の舌片２２も図４（ｂ）に示すように缶蓋１とともに下方へ引き下げられる。これにより、プルタブ２０の固着部分Ａが引上げ部２０ａよりも低くなり、図４（ｂ）に示すようにプルタブ２０はその押圧部２０ｂ側が下がり、引上げ部２０ａ側が持ち上がって引上げ部２０ａが缶蓋１の上面から離れた状態で固定される。
【００２０】
この状態になると、プルタブ２０の引上げ部２０ａと缶蓋１の間には指を入るために十分な隙間４ができるので、缶を開口する者は図４（ｃ）に示すように引上げ部２０ａに指をかけプルタブ２０を容易に上方に引き起こすことが可能となる。プルタブ２０の引上げ部２０ａが引き上げられると、図４（ｄ）に示すように固着部分Ａを支点としてプルタブ２０の押圧部２０ｂが押し下げられ、蓋片１２の上面を押圧し蓋片１２を切り込み線１１に沿って缶蓋１から破断し、缶が開口する。
【００２１】
本発明によれば、プルタブ２０の引上げ部２０ａを上方に引き起こす際に、凹み部３を凹ませるだけで缶蓋１と引上げ部２０ａとの間に指を入れるだけの十分な隙間４を形成でき、開口しやすい。また、缶蓋１と引上げ部２０ａとの間に隙間４ができた状態でプルタブ２０の引上げ部２０ａを強い力で引き上げても、指の腹が引上げ部２０ａにしっかりと当たっているため、指先や爪を傷めたりするおそれがない。
【００２２】
【発明の効果】
以上説明したように、本発明によれば凹み部を押圧して凹ませるだけで容易にプルタブの引上げ部と缶蓋との間に指を入れる隙間を作ることができ、開封時にプルタブの引上げ部に指がしっかりとかかり、指や爪を傷めることなく容易に開口することができる。
【図面の簡単な説明】
【図１】従来のプルタブ式缶蓋の構成例を示す図である。
【図２】従来のプルタブ式缶蓋の構成例を示す図である。
【図３】本発明にかかるプルタブ式缶蓋の構成例を示す図である。
【図４】本発明にかかるプルタブ式缶蓋を開口する手順を示す図である。
【符号の説明】
１　缶蓋
２　折り曲げ線
３　凹み部
４　（指挿入用の）隙間
１０　開口部
１１　切り込み線
１２　蓋片
２０　プルタブ
２０ａ　引上げ部
２０ｂ　押圧部
２０ｃ　開口
２１　固着具
２２　舌片
Ａ　プルタブと缶蓋の固着部分
【図１】
2004091015.tif 000003
【図２】
2004091015.tif 000004
【図３】
2004091015.tif 000005
【図４】
2004091015.tif 000006